(57)【要約】【課題】  構成が簡単で動作が安定的であり、しかも、導出状態では直線的なレール状に形成でき、また、単純な形態で、水平横方向への湾曲や逆方向への屈曲を防止し、ネットの端部を安定的にガイドできるネットガイドを備えた横引き網戸を提供する。【解決手段】  ネットガイド１２は、ネット４の端部に沿う底部１４ａと該ネット４の外側面に沿う立壁部１４ｂとにより略Ｕ字状に形成したガイド駒１４の多数を、ガイド駒１４の連接面における立壁部１４ｂの先端部を相互に回転可能に連接する。ネットガイド１２がネット４の端部に沿って導出されたとき、隣接するガイド駒１４の連接面が相互に当接する。【選択図】        図１
2005036518.tif 000002
【特許請求の範囲】
【請求項１】
交互に逆方向に折り返した伸展自在のネットを横引きにより開閉自在とし、上記ネット
の開閉に応じて、該ネットの開閉方向両端に取り付けた枠材の少なくとも一方からその内
部に出入りし、張設状態にある上記ネットの端部に沿って導出されてその端部をガイドす
るネットガイドを備えた横引き網戸において、
上記ネットガイドは、上記ネットの端部に沿う底部と該ネットの外側面に沿う立壁部と
により略Ｕ字状に形成した合成樹脂製のガイド駒の多数を、該ガイド駒の連接面における
立壁部の先端部を相互に回転可能に連接し、且つネットガイドが上記ネットの端部に沿っ
て導出されたとき、隣接するガイド駒の連接面の全部または一部が相互に当接するものと
して構成した、
ことを特徴とする横引き網戸。
【請求項２】
ガイド駒における立壁部の先端部に沿って通孔を形成するとともに、該通孔にワイヤー
部材を挿通して多数のガイド駒を連接することによりネットガイドを構成したことを特徴
とする請求項１に記載の横引き網戸。
【請求項３】
立壁部の通孔にワイヤー部材を嵌脱する溝を設けたことを特徴とする請求項２に記載の
横引き網戸。
【請求項４】
ガイド駒における立壁部の上部に、隣接するガイド駒を相互に回動自在に連結する継手
を設け、この継手により隣接する多数のガイド駒を順次連接してネットガイドを構成した
ことを特徴とする請求項１に記載の横引き網戸。
【請求項５】
隣接するガイド駒のワイヤー部材を挿通する通孔間に中間回転子を介在させたことを特
徴とする請求項２または３に記載の横引き網戸。
【請求項６】
ガイド駒の全部または一部に、それらの摺動面に設けたガイドレールに係合して摺動す
る係合部を設けたことを特徴とする請求項１乃至４のいずれかに記載の横引き網戸。
【請求項７】
ネットの上下両側端にネットガイドを設けたことを特徴とする請求項１乃至４のいずれ
かに記載の横引き網戸。
【請求項８】
ネットガイドが、上記ネットの開閉方向両端に取付けた枠材の双方からその内部に出入
りする構成としたことを特徴とする請求項１乃至４に記載の横引き網戸。
【請求項９】
ネットの開閉操作に供する可動の枠材を平行移動させるための張紐の一端を上記ネット
ガイドに連結し、該張紐を横引き網戸を構成する枠材間のネットに挿通して張設すること
により、上記枠材の平行移動機構を構成したことを特徴とする請求項１乃至４に記載の横
引き網戸。
【発明の詳細な説明】
【技術分野】
【０００１】
本発明は、交互に逆方向に折り返した伸展自在のネットを横引きにより開閉自在とした
横引き網戸に関するものであり、さらに具体的には、上記ネットの開閉に応じて該ネット
の両端に取り付けた枠材の少なくとも一方からその内部に出入りし、張設状態にある上記
ネットの端部に沿って導出されてそれらの端部をガイドするネットガイドを備えた横引き
網戸に関するものである。
【背景技術】
【０００２】
交互に逆方向に折り返した伸展自在のネットを横引きにより開閉自在とした網戸におい
て、上記ネットの開閉に応じて、該ネットの開閉方向両端に取り付けた枠材の少なくとも
一方からその内部に出入りし、張設状態にある上記ネットの端部に沿って導出されてその
端部をガイドするネットガイドを備えたものは、例えば、特許文献１において開示されて
いるスライドガイド枠部を備えたスクリーン装置が知られている。この従来のスクリーン
装置におけるスライドガイド枠部は、架橋部を介して対向配置された側壁部を持つ剛性ユ
ニットを連結することにより形成したものである。
【０００３】
而して、この種のネットガイドは、当該ネットガイドを備えた横引き網戸を安価に提供
できるようにするばかりでなく、そのメンテナンス性を向上させるために、その構造を簡
易化する必要があり、また、上記枠材の開閉の操作性を損なうことなく、上記ネットを安
定して開閉操作できるようにする必要がある。
ところが、上記特許文献１に記載のものは、ネットガイドとしてのスライドガイド枠部
を構成する剛性ユニットの構造が複雑で、その製造にもコストがかかるばかりでなく、上
記剛性ユニットの連結にも手数を要し、また、その構造の複雑さからスライドガイド枠部
のメンテナンスにも手数を要するものである。しかも、剛性ユニットを回転自在に連結し
ているため、それらが床面や枠材に接触する際に騒音を発し、ネットの静かで安定的な開
閉操作も望めないものである。
【０００４】
上述のような問題点を解決するものとして、本出願人が特許文献２において、ネットの
開閉に応じて、該ネットの両端に取り付けた枠材の下端からその内部に出入りし、張設状
態にある該ネットの下端に沿って導出されてその下端をガイドし、該ネットの揺れを防止
するネットガイドを備えた横引き網戸を提案している。
上記既提案の横引き網戸におけるネットガイドは、ガイド駒の連接部分におけるテープ
状部材の湾曲の反力が可動框の操作力に対抗する緩衝のための作用力となり、可動框の開
閉の操作性を損なうことなく、適切な抵抗による緩衝性を付与することにより騒音を抑制
することができ、しかも、このようなネットガイドを簡易な構造で且つ安価に提供するこ
とができる点で極めて有効なものである。
【０００５】
ところが、上記ネットガイドでは、ネットに予想外の強い風等の外力が作用すると、ネ
ットガイドにおける枠材から直線的に導出された部分では、上記ネットの下端に押されて
上記ネットガイドが水平横方向に湾曲してしまう場合が考えられる。
また、上記ネットガイドは、各ガイド駒を連接するテープ状部材により該ネットガイド
の逆方向への湾曲（床面からの浮き上がり）を抑止するようにしているが、ネットを比較
的広い範囲にわたって張設した場合、すなわちネットガイドが比較的長く導出された状態
において、強い力で可動框によるネットの開閉操作を行うと、ネットガイドに対して上記
枠材への導入方向に大きな負荷が作用することになり、該ネットガイドが横方向に湾曲し
て上記ネットがネットガイドから外れてしまったり、あるいはネットガイドが通常とは逆
に上方に湾曲して浮き上がってしまったりする場合が考えられ、ネットガイドの逆方向へ
の湾曲を抑止するための対策を講じることが望まれている。
【０００６】
【特許文献１】特開２０００−１４５３１４号公報
【特許文献２】特願２００１−３６１２７９号
【発明の開示】
【発明が解決しようとする課題】
【０００７】
本発明の技術的課題は、構成が簡単で動作が安定的であり、しかも、導出状態では直線
的なレール状に形成できるネットガイドを備えた横引き網戸を安価に提供することにある
。
また、本発明の他の技術的課題は、単純な形態で、水平横方向への湾曲や逆方向への屈
曲（設置面からの浮き上がり）を防止し、ネットの端部を常に安定的にガイドすることが
できるネットガイドを備えた横引き網戸を提供することにある。
【課題を解決するための手段】
【０００８】
上記課題解決するための本発明は、交互に逆方向に折り返した伸展自在のネットを横引
きにより開閉自在とし、上記ネットの開閉に応じて、該ネットの開閉方向両端に取り付け
た枠材の少なくとも一方からその内部に出入りし、張設状態にある上記ネットの端部に沿
って導出されてその端部をガイドするネットガイドを備えた横引き網戸において、上記ネ
ットガイドは、上記ネットの端部に沿う底部と該ネットの外側面に沿う立壁部とにより略
Ｕ字状に形成した合成樹脂製のガイド駒の多数を、該ガイド駒の連接面における立壁部の
先端部を相互に回転可能に連接し、且つネットガイドが上記ネットの端部に沿って導出さ
れたとき、隣接するガイド駒の連接面の全部または一部が相互に当接するものとして構成
した、
ことを特徴とするものである。
【０００９】
本発明の横引き網戸の好ましい実施形態においては、ガイド駒における立壁部の先端部
に沿って通孔を形成するとともに、該通孔にワイヤー部材を挿通して多数のガイド駒を連
接することによりネットガイドを構成することができ、この場合、立壁部の通孔にワイヤ
ー部材を嵌脱する溝を設けて各ガイド駒の組付け、交換等のための着脱を容易にすること
ができ、また、隣接するガイド駒のワイヤー部材を挿通する通孔間に中間回転子を介在さ
せて、ガイド駒間の屈曲の円滑化をはかるようにした構成とすることができる。
更に、本発明の横引き網戸においては、ガイド駒における立壁部の上部に隣接するガイ
ド駒を相互に回動自在に連結する継手を設け、この継手により隣接する多数のガイド駒を
順次連接してネットガイドを構成することができ、あるいはガイド駒の全部または一部に
、それらの摺動面に設けたガイドレールに係合して摺動する係合部を設けることができ、
あるいはネットの上下両側端にネットガイドを設けることができる。
【００１０】
また、本発明の横引き網戸においては、ネットガイドを、上記ネットの開閉方向両端に
取付けた枠材の双方からその内部に出入りする構成とすることができ、更に、ネットの開
閉操作に供する可動の枠材を平行移動させるための張紐の一端を上記ネットガイドに連結
し、該張紐を横引き網戸を構成する枠材間のネットに挿通して張設することにより、上記
枠材の平行移動機構を構成するのが有効である。
【発明の効果】
【００１１】
上記に詳述した本発明の横引き網戸によれば、上記ネットガイドを構成するガイド駒の
連接面における立壁部の先端部を連接するという簡易な手段で構成することができるので
、ネットガイドを安価に提供することができるだけでなく、そのメンテナンス性をも向上
させることができる。しかも、屈曲部をネットガイドの上部（屈曲の内側）に設けている
ので、屈曲時に隣接するガイド駒の一部が相互に重なることがなく、上記ネットの開閉操
作を安定的に行うことができる。
そのうえ、上記ネットガイドがネットの端部に沿って導出されたとき、隣接するガイド
駒の連接面が相互に当接するものとして構成しているので、水平横方向への湾曲や逆方向
への屈曲（設置面からの浮き上がり）を防止し、上記ネットの端部を常に安定的にガイド
することができ、しかも、上記ガイド駒は、側面視形状を正方形あるいは矩形状に形成で
きるので、ネットガイドの導出状態においては、その上縁に凹凸がない直線的なレール状
に形成され、外観的にもすっきりするばかりでなく、他物（ネット等）との引っ掛かりが
生じず、開閉操作に供する枠材によるネットのより安定的な開閉操作が可能になる。
【発明を実施するための最良の形態】
【００１２】
図１乃至図３は本発明に係る横引き網戸において用いるネットガイドの第１実施例を示
している。
上記横引き網戸は、図４乃至図６に示すように、概略的には、網戸枠２と該網戸枠２内
に横開きにより開閉自在に取り付けられた防虫ネット４と、該ネット４の一端に取り付け
られた開閉操作用の可動框５とを備えている。上記網戸枠２は、左右の縦枠部材６，８と
上部の横枠部材１０とを有し、該網戸枠２の下部において、上記ネット４の下端部をガイ
ドするネットガイド１２を可動框５の移動に伴って出没するように設けている。
上記ネットガイド１２は、その一端が可動框５の下端に固定され、可動框５の移動に伴
う上記ネット４の伸縮に応じて、図において左側の縦枠部材６の内部に屈曲して出入りし
、張設状態にある上記ネット４の下端に沿って導出されて、それらの端部を保持すること
により、ネット４の下端の風等の外力による揺れを抑止するものである。
【００１３】
さらに具体的には、上記ネットガイド１２は、図１乃至図３に示すように、合成樹脂で
形成した多数のガイド駒１４を、可撓性を有するワイヤー部材１６で連結することにより
構成している。
上記ネットガイド１２を構成するガイド駒１４は、図１に明確に示すように、ネット４
の下端に沿う底部１４ａと該ネット４の外面に沿って立ち上がる立壁部１４ｂとにより略
Ｕ字状に形成したもので、該ガイド駒１４における立壁部１４ｂの先端部（開口側端部）
に沿って、ワイヤー部材１６を挿通する通孔１４ｃを設け、それぞれのガイド駒１４の通
孔１４ｃに上記ワイヤー部材１６を挿通することにより各ガイド駒１４を回転可能に連接
しており、当該ネットガイド１２の両端のガイド駒１４の外側端において、ワイヤー部材
１６の端部にそれぞれストッパー部材１８（図５参照）を付設することにより、各ガイド
駒１４がワイヤー部材１６から抜脱しないようにしている。そして、これらのガイド駒１
４は、該ガイド駒１４における立壁部１４ｂの端面を相互に当接させることにより連接し
ており、したがって、上記ワイヤー部材１６の長さは、連接した多数のガイド駒１４の実
長とほぼ同長でよいが、上記ネットガイド１２の屈曲や円滑な動作に必要な分だけ余裕を
持たせて、すなわち連接した多数のガイド駒１４の実長よりも若干長く形成するのが望ま
しい。
なお、上記ワイヤー部材１６として、ネット４の開閉操作に供する可動框の平行移動機
構を構成する張紐の一部を利用することもできる。
【００１４】
さらに、各ガイド駒１４の立壁部１４ｂには、当該ネットガイド１２が屈曲するに際し
、隣接するガイド駒１４における立壁部１４ｂの先端部が当接する微少な切欠部１４ｄを
設けることができ（図２に明示）、これにより、上記ワイヤー部材１６の余裕により隣接
するガイド駒１４間に隙間を作らなくとも上記ネットガイド１２を屈曲させることができ
る。
【００１５】
上記ネットガイド１２は、前述したように、ネット４の開閉に伴って網戸枠２を構成す
る縦枠部材６の下端から湾曲させてその内部に出入りさせ、その導出によってネット４の
下端をガイドさせるものである。そのネットガイド１２を構成するワイヤー部材１６は、
その屈曲が極めて容易な材質のものとすることもできるが、可動框５の操作力に対抗する
緩衝のための作用力を与える程度の反力を示すものとすることもできる。かかる観点から
、上記ネットガイド１２におけるワイヤー部材１６は、その材質の選定あるいは太さの調
整等により、適度の弾性あるいは可撓性を有するものとする必要がある。
【００１６】
一方、上記ネット４は、交互に逆方向に折り返して多数のプリーツをジグザグ状に施す
ことにより、アコーディオン式に伸縮自在としたもので、その両端に網戸枠２の縦枠部材
６及びネット４の開閉操作に供する可動框５を取り付け、該可動框５の操作により開閉す
るようにしている。
【００１７】
而して、上記ネット４の一端に取り付けた開閉操作用の可動框５の操作によるネット４
の開閉操作時においては、上記ネットガイド１２はガイド駒１４における立壁部１４ｂの
先端部で屈曲するため、ネットガイド１２の屈曲時に隣接するガイド駒１４の立壁部１４
ｂが重なり合う部分がなく、すなわちガイド駒１４の立壁部１４ｂに隣接するガイド駒１
４の立壁部１４ｂが収容される逃げ部を設ける必要がなく、したがってネットガイド１２
の円滑な湾曲動作、すなわちネット４の円滑な開閉操作が可能になる。
【００１８】
上記ネットの一端に取り付けた可動框５を安定的に平行移動させるため、該可動框５に
は平行移動機構を付設している。この平行移動機構は、本実施例の網戸では、網戸枠２及
び可動框５の間に３本の張紐１９ａ〜１９ｃを張設することにより構成している。
上記第１の張紐１９ａは、上記可動框５の上端にその一端を取り付け、それをネット４
を貫通させて上記ネット４を固定した縦枠部材６内に導き、そして転向子２０ａにより該
張紐１９ａを縦枠部材６内を通して下端に導いたうえで、該縦枠部材６の下部に設けた転
向子２０ｂに巻き掛けて該縦枠部材６内を上方に導き、その先端を上記ネットガイド１２
における縦枠部材６内に導出入する先端のガイド駒１４に連結している。
【００１９】
一方、第２、第３の張紐１９ｂ，１９ｃは、それぞれ上記可動框５の中央及び下端にそ
の一端を取り付け、それらの張紐１９ｂ，１９ｃをネット４を貫通させて上記ネット４を
取り付けた縦枠部材６内に導いたうえで転向子２０ｃにより転向させ、該縦枠部材６内を
通して上部の横枠部材１０内に導き、さらにそれらの張紐１９ｂ，１９ｃを転向子２０ｄ
により横枠部材１０内を通してネット４を取り付けていない縦枠部材８の上端に導き、そ
してそれらを該縦枠部材８の上部に設けた転向子２０ｅに巻き掛けて上記横枠部材１０内
を逆方向に導いたうえで上記可動框５内に導入し、それらの先端を該可動框５に連結して
いる。
【００２０】
上述した張紐１９ａ〜１９ｃがネット４の張設部分において水平方向に張設されている
部分においては、それらの張紐１９ａ〜１９ｃをネット４内に挿通することによってネッ
ト４の弛みを防止し、ネット４の張設状態を安定化させることができる。また、上記各転
向子２０ａ〜２０ｄとしては、張紐１９ａ〜１９ｃとの抵抗が小さい合成樹脂製の摺動部
材、あるいはプーリーなどを用いることができる。
【００２１】
上記構成を有する横引き網戸におけるネットガイド１２は、上記ガイド駒１４の連接面
における立壁部１４ｂの先端部を連結するという簡易な手段で構成することができるので
、それを安価に提供することができるだけでなく、そのメンテナンス性を向上させること
ができる。しかも、屈曲部をネットガイド１２の上部（屈曲の内側）に設けているので、
屈曲時に隣接するガイド駒１４の一部が相互に重なることがなく、ネット４の開閉操作を
円滑かつ安定的に行うことができる。
そのうえ、上記ネットガイド１２がネット４の端部に沿って導出されたとき、隣接する
ガイド駒１４の連接面が相互に当接するものとして構成しているので、水平横方向への湾
曲や逆方向への屈曲（設置面からの浮き上がり）を防止し、ネット４の下端を常に安定的
にガイドすることができ、しかも、上記ガイド駒１４は、側面視形状が正方形あるいは矩
形状に形成できるので、ネットガイド１２の導出状態においては、その上縁に凹凸がない
直線的なレール状に形成され、外観的にもすっきりするばかりでなく、他物（ネット等）
との引っ掛かりが生じず、上記ネット４のより安定的な開閉操作が可能になる。
【００２２】
上述した第１実施例においては、本発明に係る横引き網戸におけるネットガイド１２を、各ガイド駒１４の通孔１４ｃにワイヤー部材１６を順次挿通することにより構成してい
るが、これに限定されず、以下に説明する第２〜第５実施例のように構成することもでき
る。
すなわち、図７に示す第２実施例においては、上記ガイド駒１４における立壁部１４ｂ
の先端部の外側に沿ってワイヤー部材１６を嵌脱する溝１４ｅを形成することにより、多
数のガイド駒１４を連接しており、一方、図８に示す第３実施例においては、上記ガイド
駒１４における立壁部１４ｂの先端部の内側に沿ってワイヤー部材１６を嵌脱する溝１４
ｆを形成することにより、多数のガイド駒１４を連接している。上記溝１４ｅ，１４ｆは
、ワイヤー部材１６にある程度の力を掛けることにより嵌脱できる程度の幅を有するもの
である。
これらの第２及び第３実施例のように構成すれば、仮にネットガイド１２を構成するガ
イド駒１４の一つが破損したとしても、その破損したガイド駒だけを取り外して交換する
ことができるので、ネットガイド１２のメンテナンス性をさらに高めることができる。
【００２３】
次に、図９及び図１０に示す第４実施例は、隣接するガイド駒１４の連接面における立
壁部１４ｂの先端部に沿ってワイヤー部材１６を挿入する通孔１４ｃを形成するとともに
、該通孔１４ｃの入口に凹窪１４ｇを設け、隣接するガイド駒１４の凹窪１４ｇ間にそれ
ぞれ略球状のビーズからなる中間回転子２１を介在させることにより、多数のガイド駒を
回動自在に連結したものである。
上記中間回転子２１は、略球状でその中央に通孔を有するビーズからなり、該通孔が回
転子２１が収容されるところの上記ガイド駒１４の連接面における凹窪１４ｇ内において
、立壁部１４ｂの通孔１４ｃにほぼ一致するように配設される。
このように構成すると、ネットガイド１２の屈曲時において、上記中間回転子２１とガ
イド駒１４における凹窪１４ｇが円滑に摺動するため、結果的にネットガイド１２の円滑
な屈曲動作、すなわち上記ネット４の円滑な開閉操作が可能になる。
【００２４】
また、図１１に示す第５実施例は、ガイド駒１４における立壁部１４ｂの先端側両端に
、継手２６を一体に形成したもので、該立壁部１４ｂの一端の上部から突出する突片２６
ｂに突子２６ａを設けるとともに、他端の上部に隣接するガイド駒１４の突子２６ａをネ
ットガイド１２の屈曲方向に回動自在に支持する支持部２６ｃを設け、各ガイド駒１４の
突子２６ａをそれぞれ隣接するガイド駒１４の支持部２６ｃに支持させて多数のガイド駒
１４を連接したものである。
上記ガイド駒１４における立壁部１４ｂの先端の支持部２６ｃは、ガイド駒１４の連接
面を相互に当接させた状態において、該ガイド駒１４における突子２６ａが嵌入する凹部
または孔として構成され、該支持部２６ｃに上記突子２６ａを嵌入させることにより、該
ガイド駒１４がネットガイド１２の屈曲方向に回動自在に連結するようにしている。
なお、上述した第２〜第５実施例におけるネットガイド１２のその他の構成及び作用は
、実質的に前記第１実施例と同様であるから、同一部分または相当部分に同一符号を付し
て、それらの説明を省略する。
【００２５】
上述した第１〜第５実施例として記載したネットガイド１２におけるガイド駒１４は、
図１２の（Ａ）に示すように、その底部１４ａを平面状にして、平らな設置面上を摺動さ
せることができるが、同図（Ｂ）に示すように、設置面（建物開口部の床面等）上に敷居
の高さ程度に敷設したガイドレール１５（図４、図５参照）に跨乗させるための短脚１４
ｊを立壁部１４ｂの下方に突設して、その移動をガイドさせることもでき、さらに、同図
（Ｃ）に示すように、ガイド駒１４の底部１４ａの裏面に相対向する鉤形に形成したガイ
ド用突条１４ｋ，１４ｋを設け、そのガイド用突条１４ｋ，１４ｋをガイドレール１５の
両側の凹溝１５ａに嵌め込むことにより、ネットガイド１２の適正な摺動、すなわち上記
ネット４を該ガイドレール１５に沿ってより適正かつ安定的にガイドさせることができる
。しかしながら、前述したように、上記ネットガイド１２は、各ガイド駒１４の連接面に
おける立壁部１４ｂの先端部において、上記ワイヤー部材１６により隣接するガイド駒１
４と相互に連接しているため、該ネットガイド１２は下方に凸に屈曲することは許容する
が、通常とは逆方向、すなわち上方に凸に屈曲しようとしても、隣接するガイド駒１４の
連接面が相互に面接触して、上記ネットガイド１２が逆方向に屈曲するのを可及的に抑止
するので、必ずしもそのようなガイド用突条１４ｋを設ける必要はない。また、各ガイド
駒１４における隣接ガイド駒との連接面は、何れも平面状のものとしてそれらを当接させ
るようにしているが、該連接面は全面的に当接させる必要はなく、両ガイド駒１４の当接
姿勢が一定である範囲内において、部分的に当接させることができる。
【００２６】
本発明に係る横引き網戸におけるネットガイドは、前記第１実施例に関連して図４乃至
図６に記載したような、ネットガイド１２の一端を横引き網戸における可動框５の下端に
固定することにより、該可動框５の移動に伴って縦枠部材６の下端からその内部に出入り
するものに限定されるものではない。すなわち、図１３及び図１４に示すように、ネット
ガイド１２の一端を網戸枠２の縦枠部材６の下端に固定し、可動框５の移動に伴って該可
動框５の下端からその内部に出入りするもの、図１５に示すように、ネットガイド１２が
ネット４の両端に取り付けた縦枠部材６及び可動框５の双方の下端からその内部に出入り
するもの（上記縦枠部材６が可動框であってもよい）、図１６に示すように、ネットの上
端及び下端をガイドする２つのネットガイド１２，１２がネット４の両端に取り付けた縦
枠部材６及び可動框５の双方の上端及び下端からそれらの内部に出入りするもの（図１５
及び図１６に例示した構成の場合には、ネットガイド１２が縦枠部材６及び可動框５の双
方から抜け出すのを防止するストッパ等を設ける必要がある。）、図１７に示すように、
可動框５の上下端部にそれぞれネットガイド１２Ａ，１２Ｂの一端を固定し、可動框５の
移動に伴って上記網戸枠２の縦枠部材６の上下端からその内部に出入りするもの、あるい
は、図１８に示すように、網戸枠の縦枠部材６の上下端部にそれぞれネットガイド１２Ａ
，１２Ｂの一端を固定し、可動框５の移動に伴って該可動框５の上下端からその内部に出
入りするものとして構成することができる。
【００２７】
なお、上述した図１３〜図１８に例示した横引き網戸においても、前記第１実施例の横
引き網戸と同様に、可動框５の姿勢を保持して安定的に平行移動させるための平行移動機
構を付設することができる。
すなわち、図１３及び図１４に示す横引き網戸においては、上記網戸枠２及び可動框５
の間に３本の張紐１９ａ〜１９ｃを張設することにより構成している。
上記第１の張紐１９ａは、上記ネット４を固定した縦枠部材６の上端にその一端を取り
付け、それをネット４を貫通させて上記可動框５内に導き、そして転向子２０ａにより該
張紐１９ａを可動框５内を通して下端に導いたうえで、該可動框５の下部に設けた転向子
２０ｂに巻き掛けて該可動框５内を上方に導き、その先端を上記ネットガイド１２におけ
る可動框５内に導出入する先端のガイド駒１４に連結している。
【００２８】
一方、第２、第３の張紐１９ｂ，１９ｃは、それぞれ上記ネット４を取り付けた縦枠部
材６の中央及び下端にその一端を取り付け、それらの張紐１９ｂ，１９ｃをネット４を貫
通させて上記可動框５内に導いたうえで転向子２０ｃにより転向させ、該可動框５内を通
して上部の横枠部材１０内に導き、さらにそれらの張紐１９ｂ，１９ｃを転向子２０ｄに
より横枠部材１０内を通してネット４を取り付けていない縦枠部材８の上端に導き、そし
てそれらを該縦枠部材８の上部に設けた転向子２０ｅに巻き掛けて上記横枠部材１０内を
逆方向に導いたうえで上記縦枠部材６内に導入し、それらの先端を該縦枠部材６に連結し
ている。
【００２９】
次に、図１５に示す横引き網戸においては、上記網戸枠２及び可動框５の間に４本の張紐１９ａ〜１９ｄを張設することにより可動框の平行移動機構を構成している。
上記第１の張紐１９ａは、上記ネットガイド１２における縦枠部材６内を出入りする側
の端部にその一端を取り付け、それを縦枠部材６の上方に導いたうえで転向子２０ａで転
向させ、上記網戸枠２の横枠部材１０内においてネット４及び可動框５を貫通させて網戸
枠２の縦枠部材８の上端に導き、そしてそれを該縦枠部材８の上部に設けた転向子２０ｂ
に巻き掛けて上記横枠部材１０内を逆方向に導いたうえで上記可動框５内に導入し、転向
子２０ｃにより転向させてその先端をネットガイド１２における可動框５内を出入りする
側の端部に連結している。
【００３０】
一方、第２〜第４の張紐１９ｂ〜１９ｄは、それらの一端を上記ネットガイド１２にお
ける縦枠部材６内を出入りする側の端部に固定し、それらの張紐１９ｂ〜１９ｄを縦枠部
材６内を下方に導き、そしてそれらを転向子２０ｄで転向させて該縦枠部材６内を逆方向
に導いたうえで、転向子２０ｅによりそれぞれネット４の上部、中央部及び下部を貫通さ
せて可動框５内に導入し、さらにそれらの張紐１９ｂ〜１９ｄを転向子２０ｆにより該可
動框５を下方に導いたうえで転向子２０ｇにより該可動框５内を逆方向に導き、それらの
先端を上記ネットガイド１２における可動框５内を出入りする側の端部に固定している。
【００３１】
また、図１６に示す横引き網戸においては、上記網戸枠２及び可動框５の間に４本の張
紐１９ａ〜１９ｄを張設することにより構成している。
上記第１の張紐１９ａは、ネット４の下端をガイドするネットガイド１２における縦枠
部材６内を出入りする側の端部にその一端を取り付け、それを縦枠部材６の上方に導いた
うえで転向子２０ａにより転向させ、ネット４を貫通させて可動框５内に導入し、そして
それを転向子２０ｂにより該可動框５内を下方に導いて、その先端をネット４の上端をガ
イドするネットガイド１２における可動框５内を出入りする側の端部に連結している。
次に、第２の張紐１９ｂは、ネット４の上端をガイドするネットガイド１２における縦
枠部材６内を出入りする側の端部にその一端を取り付け、それを縦枠部材６の上方に導い
たうえで該縦枠部材６内に設けた転向子２０ｃに巻き掛けて該縦枠部材６内を逆方向に導
き、それを転向子２０ｄによりネット４の中央からやや上部を貫通させて可動框５内に導
入し、そしてそれを転向子２０ｅにより該可動框５内を下方に導き、その先端をネット４
の下端をガイドするネットガイド１２における可動框５内を出入りする側の端部に連結し
ている。
【００３２】
第３の張紐１９ｃは、ネット４の下端をガイドするネットガイド１２における縦枠部材
６内を出入りする側の端部にその一端を取り付け、それを縦枠部材６の下方に導いたうえ
で該縦枠部材６内に設けた転向子２０ｆに巻き掛けて該縦枠部材６内を逆方向に導き、そ
れを転向子２０ｇによりネット４の中央からやや下部を貫通させてもう一方の可動框５内
に導入し、そしてそれを転向子２０ｈにより該可動框５内を上方に導き、その先端をネッ
ト４の上端をガイドするネットガイド１２における可動框５内を出入りする側の端部に連
結している。
そして、第４の張紐１９ｄは、ネット４の上端をガイドするネットガイド１２における
縦枠部材６内を出入りする側の端部にその一端を取り付け、それを縦枠部材６の下方に導
きネット４の下部を貫通させたうえでもう一方の可動框５内に導入し、そしてそれを該可
動框５内を上方に導き、その先端をネット４の下端をガイドするネットガイド１２におけ
る可動框５内を出入りする側の端部に連結している。
【００３３】
さらに、図１７に示す横引き網戸においては、上記網戸枠２及び可動框５の間に３本の
張紐１９ａ〜１９ｃを張設することにより可動框の平行移動機構を構成している。
上記第１の張紐１９ａは、上記可動框５の上端にその一端を取り付け、それを可動框５
内の上端に導いたうえでネット４を貫通させて上記ネット４を固定した縦枠部材６内に導
き、そして該張紐１９ａを転向子２０ａにより縦枠部材６内を通して下端に導いたうえで
、該縦枠部材６の下部に設けた転向子２０ｂに巻き掛けて該縦枠部材６内を上方に導き、
その先端をネット４の下端をガイドするところのネットガイド１２Ｂにおける縦枠部材６
内に導出入する際の先端側に取り付けたガイド駒１４に連結している。
【００３４】
一方、第２、第３の張紐１９ｂ，１９ｃは、それぞれ上記可動框５の中央及び下端にそ
の一端を取り付け、それらの張紐１９ｂ，１９ｃをネット４を貫通させて上記ネット４を
取り付けた縦枠部材６内に導いたうえで転向子２０ｃにより該縦枠部材６内を上方に導き
、さらにそれらの張紐１９ｂ，１９ｃを縦枠部材６の上部に設けた転向子２０ｄに巻き掛
けて該縦枠部材６内を下方に導いたうえで、それらの先端をネット４の上端をガイドする
ところのネットガイド１２Ａにおける縦枠部材６内に導出入する際の先端側に取り付けた
ガイド駒１４に連結している。
【００３５】
図１８に示す横引き網戸においては、上記網戸枠２及び可動框５の間に２本の張紐１９
ａ，１９ｂを張設することにより可動框の平行移動機構を構成している。
上記第１の張紐１９ａは、その一端を上記可動框５の上端からその内部に出入りするネ
ットガイド１２Ａにおける該可動框５内に導出入する先端のガイド駒１４に取付け、それ
を転向子２０ａで転向させて可動框の上端に導いたうえで、転向子２０ｂにより上部の横
枠部材１０を通じてネット４を固定していない縦枠部材８内に導き、そこで該縦枠部材８
内に設けた転向子２０ｃに巻き掛けて上記横枠部材１０内を逆方向に導いたうえで上記可
動框５内に導入し、さらにそれを転向子２０ｄで可動框５内を下方に導いて該可動框５の
下端に設けた転向子２０ｅに巻き掛けて該可動框５内を逆方向に導き、その先端を可動框
５の下端からその内部に出入りするネットガイド１２Ｂにおける該可動框５内に導出入す
る先端のガイド駒１４に連結している。
【００３６】
一方、第２張紐１９ｂは、上記可動框５の中央にその一端を取り付け、それをネット４
を貫通させて上記ネット４を取り付けた縦枠部材６内に導いたうえで転向子２０ｆにより
該縦枠部材６内を上方に導き、それを縦枠部材６の上部に設けた転向子２０ｇに巻き掛け
て上部の横枠部材１０内を通じてネット４を固定していない縦枠部材８内に導入し、そこ
で該縦枠部材８内に設けた転向子２０ｃに巻き掛けて上記横枠部材１０内を逆方向に導い
たうえで上記可動框５内に導入し、さらにそれを転向子２０ｄで可動框５内を下方に導い
て該可動框５の下端に設けた転向子２０ｅに巻き掛けて該可動框５内を逆方向に導き、そ
の先端を可動框５の下端からその内部に出入りするネットガイド１２Ｂにおける該可動框
５内に導出入する先端のガイド駒１４に連結している。
【００３７】
なお、前記第１実施例及び図１３〜図１８に例示した横引き網戸における可動框の平行
移動機構を構成する張紐の繰り回しは、前述したものに限定されるものではなく、ネット
ガイドを網戸枠のいずれの枠材に導出入させるか等、横引き網戸の構造により適宜変更す
ることができるものである。
例えば、図１３に例示した横引き網戸においては、平行移動機構を構成する張紐を図１
９に示すような繰り回しとすることができる。
すなわち、この図１９の横引き網戸においては、可動框５の平行移動機構を網戸枠２及
び可動框５の間に３本の張紐１９ａ〜１９ｃを張設することにより構成している。
【００３８】
上記第１の張紐１９ａは、上記可動框５の上端にその一端を取り付け、それをネット４
を貫通させて上記ネット４を固定した縦枠部材６内に導き、そして該張紐１９ａを転向子
２０ａにより縦枠部材６内を通して下端に導いたうえで該縦枠部材６の下部に設けた転向
子２０ｂに巻き掛けて該縦枠部材６内を上方に導き、その先端を上記ネットガイド１２に
おける縦枠部材６内に導出入する先端のガイド駒１４に連結している。
一方、第２、第３の張紐１９ｂ，１９ｃは、上記可動框５にそれらの一端を取り付け、一方の張紐１９ｂはネット４の中央部を貫通させ、もう一方の張紐１９ｃはネット４の下
端部を貫通させたうえでそれらの張紐１９ｂ，１９ｃを可動框５内に導入し、そしてそれ
らを転向子２０ｃにより可動框５の上端に導いたうえで、転向子２０ｄにより横枠部材１
０内を通してネット４を取り付けていない縦枠部材８の上端に導き、それらを該縦枠部材
８の上部に固定している。
このように、平行移動機構を構成する張紐は、可動框の姿勢を保持し、あるいは該可動
框を安定的に平行移動させることができれば、任意の繰り回しで構成することができる。
【図面の簡単な説明】
【００３９】
【図１】本発明に係る横引き網戸において用いるネットガイドの第１実施例を構成するガイド駒の斜視図である。
【図２】上記ガイド駒を連接したネットガイドの部分側面図である。
【図３】同斜視図である。
【図４】上記ネットガイドを用いた横引き網戸の構成を示す要部斜視図である。
【図５】同正面図である。
【図６】同平断面図である。
【図７】（Ａ）はるネットガイドの第２実施例を構成するガイド駒の正面図、（Ｂ）は同側面図である。
【図８】（Ａ）はネットガイドの第３実施例を構成するガイド駒の正面図、（Ｂ）は同側面図である。
【図９】ネットガイドの第４実施例を構成するガイド駒の正面図である。
【図１０】同ガイド駒を用いたネットガイドの側断面図である。
【図１１】ネットガイドの第５実施例の斜視図である。
【図１２】（Ａ）〜（Ｃ）は、ガイド駒における底部裏面の形態の変形例を示す正面図である。
【図１３】ネットガイドの図４〜６とは異なる使用形態を示す正面図である。
【図１４】同平断面図である。
【図１５】ネットガイドの他の使用形態を示す正面図である。
【図１６】ネットガイドの他の使用形態を示す正面図である。
【図１７】ネットガイドの他の使用形態を示す正面図である。
【図１８】ネットガイドの他の使用形態を示す正面図である。
【図１９】可動框の平行移動機構を構成する張紐の図１３とはことなる繰り回しを示す正面図である。
【符号の説明】
【００４０】
４    ネット
５    可動框
６，８    縦枠部材
１２，１２Ａ，１２Ｂ    ネットガイド
１４    ガイド駒
１４ａ  底部
１４ｂ  立壁部
１４ｃ  通孔
１４ｅ，１４ｆ  溝
１４ｋ  ガイド用突条
１５    ガイドレール
１５ａ  凹溝
１６    ワイヤー部材
【図１】
2005036518.tif 000003
【図２】
2005036518.tif 000004
【図３】
2005036518.tif 000005
【図４】
2005036518.tif 000006
【図５】
2005036518.tif 000007
【図６】
2005036518.tif 000008
【図７】
2005036518.tif 000009
【図８】
2005036518.tif 000010
【図９】
2005036518.tif 000011
【図１０】
2005036518.tif 000012
【図１１】
2005036518.tif 000013
【図１２】
2005036518.tif 000014
【図１３】
2005036518.tif 000015
【図１４】
2005036518.tif 000016
【図１５】
2005036518.tif 000017
【図１６】
2005036518.tif 000018
【図１７】
2005036518.tif 000019
【図１８】
2005036518.tif 000020
【図１９】
2005036518.tif 000021